(57)【特許請求の範囲】
【請求項１】
縦方向に前胴周り域および後胴周り域と、それら胴周り域の間に位置する股下域とを備え、前記前後胴周り域を着脱可能に連結する一対のテープファスナが、前記前胴周り域の縦方向へ延びる胴周り側部と前記後胴周り域の縦方向へ延びる胴周り側部とのうちのいずれか一方に取り付けられ、前記テープファスナが、前記胴周り側部に固着された固定端部と、止着手段を有して前記胴周り側部から横方向外方へ延びる自由端部とを有する開放型の使い捨て着用物品において、
前記テープファスナの自由端部が、前記胴周り側部の上端部分から横方向外方へ延びる第１自由端部と、前記胴周り側部の下端部分から横方向外方へ延びる第２自由端部とから形成され、前記上端部分の端縁と前記第１自由端部の端縁とが同一直線を形成し、前記下端部分の端縁と前記第２自由端部の端縁とが同一直線を形成し、
前記胴周り側部では前記第１自由端部と前記第２自由端部とはつながっておらず、
前記第１自由端部と第２自由端部とが、前記胴周り側部から横方向外方へ向かうにつれて、前記胴周り側部の縦寸法を二分する横中心線へ次第に近づくように傾斜し、
前記第１および第２自由端部の先端部分が、前記横中心線近傍で一体になるとともに、前記第１自由端部、第２自由端部および先端部分はひとつながりに形成され、
前記止着手段が、前記先端部分に形成されていることを特徴とする前記着用物品。
【請求項２】
前記胴周り側部は２枚の伸縮性かつ疎水性の繊維不織布で形成され、
前記第１自由端部が前記胴周り側部に固着される第１固定端部と、前記第２自由端部が前記胴周り側部に固着される第２固定端部と、が前記胴周り側部を構成する２枚の不織布の間に固着されている請求項１記載の使い捨て着用物品。
【請求項３】
前記胴周り側部と前記テープファスナとのうちの少なくとも一方が、横方向へ弾性的な伸縮性を有する伸縮性繊維不織布と伸縮性プラスチックフィルムとのうちの少なくとも一方から形成されている請求項１または請求項２に記載の使い捨て着用物品。
【発明の詳細な説明】
【０００１】
【発明の属する技術分野】
本発明は、開放型の使い捨て着用物品に関する。
【０００２】
【従来の技術】
特開平１０−２９５７２７号公報は、透液性表面シートと不透液性裏面シートとの間に吸液性コアが介在し、縦方向に前胴周り域および後胴周り域と、それら胴周り域の間に位置する股下域とを備え、前後胴周り域を連結する一対のテープファスナが、後胴周り域の縦方向へ延びる胴周り側部に取り付けられた開放型の使い捨ておむつを開示している。
【０００３】
テープファスナは、横方向へ細長い帯状を呈し、胴周り側部の中央部分に取り付けられている。テープファスナは、胴周り側部の中央部分に固着された固定端部と、胴周り側部の中央部分から横方向外方へ延びる自由端部とを有する。自由端部には、粘着剤が塗布されている。このおむつを着用するには、後胴周り域の胴周り側部を前胴周り域の胴周り側部の外側に重ね合わせ、テープファスナの自由端部を横方向外方へ引っ張りながら、粘着剤を介してテープファスナの自由端部を前胴周り域の外面に止着する。着用状態にあるおむつには、胴周り開口とその下方に一対の脚周り開口とが形成される。このおむつでは、その着用時に、テープファスナによって後胴周り域の胴周り側部が横方向外方へ引っ張られる。このおむつでは、テープファスナにかかる張力が固定端部を固着した胴周り側部の中央部分に作用する。
【０００４】
【発明が解決しようとする課題】
前記公報に開示のおむつでは、その着用時に、テープファスナにかかる横方向外方への張力が胴周り側部の中央部分を除く上端部分と下端部分とに作用しないので、胴周り側部の上下端部分を着用者の肌に密着させることができない。このおむつでは、テープファスナの張力が胴周り側部の上端部分に作用しないと、テープファスナの張力が後胴周り域の胴周り端部にも作用せず、胴周り端部による着用者の胴部の締め付けが不十分となり、着用者の胴部と胴周り開口との間に隙間が生じ、胴周り開口から排泄物が漏れてしまう場合がある。また、このおむつでは、テープファスナの張力が胴周り側部の下端部分に作用しないと、テープファスナの張力がおむつの脚周り側部にも作用せず、脚周り側部による着用者の脚部の締め付けが不十分となり、着用者の脚部と脚周り開口との間に隙間が生じ、脚周り開口から排泄物が漏れてしまう場合がある。
【０００５】
本発明の課題は、後胴周り域の胴周り側部の上下端部分にテープファスナの張力を作用させることができ、胴周り開口と脚周り開口とからの排泄物の漏れを防ぐことができる開放型の使い捨て着用物品を提供することにある。
【０００６】
【課題を解決するための手段】
前記課題を解決するための本発明の前提は、縦方向に前胴周り域および後胴周り域と、それら胴周り域の間に位置する股下域とを備え、前記前後胴周り域を着脱可能に連結する一対のテープファスナが、前記前胴周り域の縦方向へ延びる胴周り側部と前記後胴周り域の縦方向へ延びる胴周り側部とのうちのいずれか一方に取り付けられ、前記テープファスナが、前記胴周り側部に固着された固定端部と、止着手段を有して前記胴周り側部から横方向外方へ延びる自由端部とを有する開放型の使い捨て着用物品である。
【０００７】
前記前提における本発明の特徴は、前記テープファスナの自由端部が、前記胴周り側部の上端部分から横方向外方へ延びる第１自由端部と、前記胴周り側部の下端部分から横方向外方へ延びる第２自由端部とから形成され、前記上端部分の端縁と前記第１自由端部の端縁とが同一直線を形成し、前記下端部分の端縁と前記第２自由端部の端縁とが同一直線を形成し、前記胴周り側部では前記第１自由端部と前記第２自由端部とはつながっておらず、前記第１自由端部と第２自由端部とが、前記胴周り側部から横方向外方へ向かうにつれて、前記胴周り側部の縦寸法を二分する横中心線へ次第に近づくように傾斜し、前記第１および第２自由端部の先端部分が、前記横中心線近傍で一体になるとともに、前記第１自由端部、第２自由端部および先端部分はひとつながりに形成され、前記止着手段が、前記先端部分に形成されていることにある。
【０００８】
本発明の実施の態様の一例としては、前記胴周り側部は２枚の伸縮性かつ疎水性の繊維不織布で形成され、前記第１自由端部が前記胴周り側部に固着される第１固定端部と、前記第２自由端部が前記胴周り側部に固着される第２固定端部と、が前記胴周り側部を構成する２枚の不織布の間に固着されている。
【０００９】
本発明の実施の態様の他の一例としては、前記胴周り側部と前記テープファスナとのうちの少なくとも一方が、横方向へ弾性的な伸縮性を有する伸縮性繊維不織布と伸縮性プラスチックフィルムとのうちの少なくとも一方から形成されている。
【００１０】
【発明の実施の形態】
添付の図面を参照し、本発明にかかる開放型の使い捨て着用物品の詳細を、排泄物を吸収、保持する使い捨ておむつを例として説明すると、以下のとおりである。
【００１１】
図１，２は、使い捨ておむつ１Ａの部分破断斜視図と、図１のＡ−Ａ線端面図とであり、図３は、着用状態で示す図１のおむつ１Ａの斜視図である。図１では、横方向を矢印Ｘで示し、縦方向を矢印Ｙで示す。図３では、着用者３４を二点鎖線で示す。なお、表裏面シート２，３や防漏シート３０の内面とは、コア４に対向する面をいい、それらシート２，３，３０の外面とは、コア４に非対向の面をいう。また、テープファスナ１９の肌当接面とは、おむつ１Ａを着用した着用者３４の肌に対向する面をいう。
【００１２】
おむつ１Ａは、肌当接側に位置する透液性表面シート２と、肌非当接側に位置する不透液性裏面シート３と、表裏面シート２，３の間に介在してそれらシート２，３のうちの少なくとも一方の内面に固着された吸液性コア４とを主要な構成部材とする。おむつ１Ａは、それら部材の他に、実質的に不透液性の防漏シート３０を有する。
【００１３】
おむつ１Ａは、その平面形状が実質的に砂時計型を呈し、縦方向に前胴周り域５および後胴周り域７と、それら胴周り域５，７の間に位置する股下域６とを備え、前後胴周り域５，７を横方向へ延びる胴周り端部８，９と、前後胴周り域５，７を縦方向へ延びる胴周り側部１０，１１と、股下域６を縦方向へ延びる脚周り側部１２とを有する。前胴周り域５の胴周り側部１０は、対向面が固着された互いに重なり合う２枚の非伸縮性かつ疎水性繊維不織布１３，１４から形成されている。後胴周り域７の胴周り側部１１は、対向面が固着された互いに重なり合う２枚の伸縮性かつ疎水性繊維不織布１５，１６から形成されている。
【００１４】
胴周り端部８，９には、横方向へ延びる帯状の胴周り用弾性部材１７が伸長状態で取り付けられている。脚周り側部１２には、縦方向へ延びる複数条の脚周り用弾性部材１８が伸長状態で取り付けられている。後胴周り域７の胴周り側部１１には、横方向へ延びる一対のテープファスナ１９が取り付けられている。
【００１５】
テープファスナ１９は、可撓性を有する実質的に非伸縮性のプラスチックフィルムから形成されている。テープファスナ１９は、胴周り側部１１の上端部分１１ａに固着された第１固定端部２０と、胴周り側部１１の上端部分１１ａから横方向外方へ延びる第１自由端部２１と、胴周り側部１１の下端部分１１ｃに固着された第２固定端部２２と、胴周り側部１１の下端部分１１ｃから横方向外方へ延びる第２自由端部２３とを有する。第１および第２自由端部２１，２３は、胴周り側部１１から横方向外方へ延びるにつれて、胴周り側部１１の縦寸法を二分する横中心線Ｌへ次第に近づくように傾斜している。換言すれば、第１自由端部２１の横方向へ延びる両端縁２１ａが胴周り側部１１から横方向外方へ延びるにつれて、横中心線Ｌへ次第に近づくように傾斜し、第２自由端部２３の横方向へ延びる両端縁２３ａが胴周り側部１１から横方向外方へ延びるにつれて、横中心線Ｌへ次第に近づくように傾斜している。
【００１６】
第１および第２自由端部２１，２３は、それら端部２１，２３の先端部分２４がひとつながりになっている。先端部分２４は、横中心線Ｌ上に位置している。テープファスナ１９の第１および第２自由端部２１，２３との間には、実質的に三角形の開口２５が形成されている。第１固定端部２０と第２固定端部２２とは、胴周り側部１１を形成する不織布１５，１６の間に介在し、それら不織布１５，１６の対向面に固着されている。
【００１７】
第１および第２自由端部２１，２３の先端部分２４には、メカニカルファスナのうちのフック部材２６（止着手段）が取り付けられている。フック部材２６は、先端部分２４の肌当接面に接着剤２７を介して固着されている。
【００１８】
前胴周り域５における裏面シート３の外面には、テープファスナ１９の止着域となる横方向へ長い矩形のターゲットテープ２８が取り付けられている。ターゲットテープ２８は、メカニカルファスナのうちのループ部材２９から形成されている。
【００１９】
防漏シート３０は、コア４の両側縁４ｂの外側近傍に位置し、股下域６から前後胴周り域５，７へ向かって縦方向へ延びている。防漏シート３０は、コア４の両側縁４ｂの外側に固着されて縦方向へ延びる固定側部３０ａと、表面シート２の上方へ起立性向を有して縦方向へ延びる自由側部３０ｂと、おむつ１Ａの横方向内方へ倒伏した状態で前後胴周り域５，７に固着された固定両端部３０ｃとを有する。自由側部３０ｂには、縦方向へ延びる伸縮性弾性部材３１が伸長状態で取り付けられている。弾性部材３１は、自由側部３０ｂの一部に被覆されている。
【００２０】
おむつ１Ａを着用するには、テープファスナ１９の先端部分２４を摘持し、テープファスナ１９をおむつ１Ａの横方向外方へ引っ張りながら、後胴周り域７の胴周り側部１１を前胴周り域５の胴周り側部１０の外側に重ね合わせる。次に、テープファスナ１９の先端部分２４をターゲットテープ２８に押し当て、フック部材２６とループ部材２９とを係合させて前後胴周り域５，７を連結する。前後胴周り域５，７が連結されたおむつ１Ａには、図３に示すように、胴周り開口３２とその下方に一対の脚周り開口３３とが形成される。
【００２１】
おむつ１Ａでは、テープファスナ１９の第１自由端部２１が胴周り側部１１の上端部分１１ａにつながり、テープファスナ１９の第２自由端部２３が胴周り側部１１の下端部分１１ｃにつながっているので、横方向外方へ引っ張られたテープファスナ１９の張力（矢印Ｘ１で示す）が胴周り側部１１の上端部分１１ａと下端部分１１ｃとに作用する。おむつ１Ａでは、胴周り側部１１の中央部分１１ｂ（横中心線Ｌ近傍）にテープファスナ１９の自由端部２１，２３がつながっていないので、テープファスナ１９にかかる横方向外方への張力が上下端部分１１ａ，１１ｃと中央部分１１ｂとに分散して作用することはなく、テープファスナ１９の張力を胴周り側部１１の上端部分１１ａと下端部分１１ｃとに集中的に作用させることができる。
【００２２】
おむつ１Ａでは、胴周り側部１１の上端部分１１ａを着用者３４の肌に密着させることができるとともに、着用者３４の脚部３６の動作の影響を受け易い胴周り側部１１の下端部分１１ｃを着用者３４の肌に密着させることができる。おむつ１Ａでは、テープファスナ１９にかかる横方向外方への張力が胴周り側部１１の上端部分１１ａから後胴周り域７の胴周り端部９に作用するので、胴周り端部９によって着用者３４の胴部３５を十分に締め付けることができ、着用者３４の胴部３５と胴周り開口３２との間に隙間が生じることはなく、胴周り開口３２からの排泄物の漏れを防ぐことができる。おむつ１Ａでは、テープファスナ１９にかかる横方向外方への張力が胴周り側部１１の下端部分１１ｃからおむつの脚周り側部１２に作用するので、脚周り側部１２によって着用者３４の脚部３６を十分に締め付けることができ、着用者３４の脚部３６と脚周り開口３３との間に隙間が生じることはなく、脚周り開口３３からの排泄物の漏れを防ぐことができる。
【００２３】
おむつ１Ａでは、後胴周り域７の胴周り側部１１が伸縮性繊維不織布から形成されているので、着用者３４の胴部３５と脚部３６との締め付けに胴周り側部１１の弾性伸縮性を利用することができ、おむつ１Ａがその着用中に不用意にずれ下がってしまうことを防ぐことができる。
【００２４】
おむつ１Ａでは、それが表面シート２を内側にして縦方向へ湾曲し、弾性部材３１が縦方向へ収縮して防漏シート３０の自由側部３０ｂが表面シート２の上方へ起立する。おむつ１Ａでは、防漏シート３０の自由側部３０ｂが排泄物に対する障壁を形成し、脚周り側部１２からの排泄物の漏れを防止することができる。
【００２５】
胴周り端部８，９では、コア４の両端縁４ａから表面シート２の端部２ａと裏面シート３の端部３ａとが縦方向外方へ延び、それらシート２，３の端部２ａ，３ａ内面どうしが互いに重なり合った状態で固着されている。防漏シート３０の固定両端部３０ｃは、表面シート２の端部２ａ外面に固着されている。胴周り用弾性部材１７は、表面シート２の端部２ａと裏面シート３の端部３ａとの間に介在し、それらシート２，３の端部２ａ，３ａ内面に固着されている。
【００２６】
脚周り側部１２では、表面シート２の側部２ｂがコア４の両側縁４ｂから横方向外方へわずかに延び、側部２ｂからさらに横方向外方へ裏面シート３の側部３ｂと防漏シート３０の固定側部３０ａとが延びている。脚周り側部１２では、表面シート２の側部２ｂが裏面シート３の側部３ｂと防漏シート３０の固定側部３０ａとの間に介在し、それらシート２，３，３０の側部２ｂ，３ｂ，３０ａどうしが互いに重なり合った状態で固着されている。脚周り用弾性部材１８は、裏面シート３の側部３ｂと防漏シート３０の固定側部３０ａとの間に介在し、それらシート３，３０の側部３ｂ，３０ａ内面に固着されている。前胴周り域５と後胴周り域７とでは、裏面シート３の側部３ｂと防漏シート３０の固定側部３０ａとが胴周り側部１１を形成する不織布１５，１６の間に介在し、それらシート３，３０と不織布１５，１６とが互いに重なり合った状態で固着されている。
【００２７】
図４，５は、他の実施の形態を示す使い捨ておむつ１Ｂの部分破断斜視図と、図３のＢ−Ｂ線端面図とであり、図６は、着用状態で示す図４のおむつ１Ｂの斜視図である。図４では、横方向を矢印Ｘで示し、縦方向を矢印Ｙで示す。図６では、着用者３４を二点鎖線で示す。
【００２８】
おむつ１Ｂは、透液性表面シート２と不透液性裏面シート３との間に吸液性コア４が介在し、実質的に不透液性の防漏シート３０が取り付けられている点において図１のおむつ１Ａと同一である。このおむつ１Ｂが図１のそれと異なる点は、以下のとおりである。
【００２９】
このおむつ１Ｂでは、前後胴周り域５，７の縦方向へ延びる胴周り側部１０，１１がコア４の両側縁４ｂから横方向外方へ延びる表裏面シート２，３の側部２ｂ，３ｂと防漏シート３０の固定側部３０ａとから形成されている。胴周り側部１０，１１と脚周り側部１２とでは、表面シート２の側部２ｂがコア４の両側縁４ｂから横方向外方へわずかに延び、側部２ｂからさらに横方向外方へ裏面シート３の側部３ｂと防漏シート３０の固定側部３０ａとが延びている。胴周り側部１０，１１と脚周り側部１２とでは、表面シート２の側部２ｂが裏面シート３の側部３ｂと防漏シート３０の固定側部３０ａとの間に介在し、それらシート２，３，３０の側部２ｂ，３ｂ，３０ａどうしが互いに重なり合った状態で固着されている。
【００３０】
テープファスナ４０は、可撓性を有する伸縮性繊維不織布から形成されている。テープファスナ４０は、胴周り側部１１に固着された固定端部４１と、胴周り側部１１の上端部分１１ａから横方向外方へ延びる第１自由端部４２と、胴周り側部１１の下端部分１１ｃから横方向外方へ延びる第２自由端部４３とを有する。第１および第２自由端部４２，４３は、胴周り側部１１から横方向外方へ延びるにつれて、横中心線Ｌへ次第に近づくように傾斜している。第１および第２自由端部４２，４３は、それら端部４２，４３の先端部分４４がひとつながりになっている。先端部分４４は、横中心線Ｌ上に位置している。テープファスナ４０の第１および第２自由端部４２，４３との間には、実質的に三角形の開口４５が形成されている。固定端部４１は、胴周り側部１１を形成する裏面シート３の側部３ｂと防漏シート３０の固定側部３０ａとの間に介在し、それらシート３，３０の側部３ｂ，３０ａ内面に固着されている。
【００３１】
第１および第２自由端部４２，４３の先端部分４４には、メカニカルファスナのうちのフック部材２６（止着手段）が取り付けられている。フック部材２６は、先端部分４４の肌当接面に接着剤２７を介して固着されている。
【００３２】
このおむつ１Ｂを着用する手順は、図１のおむつ１Ａのそれと同一であり、その説明は省略する。このおむつ１Ｂでは、テープファスナ４０の第１自由端部４２が胴周り側部１１の上端部分１１ａにつながり、テープファスナ４０の第２自由端部４３が胴周り側部１１の下端部分１１ｃにつながっているので、横方向外方へ引っ張られたテープファスナ４０の張力（矢印Ｘ１で示す）が胴周り側部１１の上端部分１１ａと下端部分１１ｃとに作用する。おむつ１Ｂでは、胴周り側部１１の中央部分１１ｂ（横中心線Ｌ近傍）にテープファスナ４０の自由端部がつながっていないので、テープファスナ４０にかかる横方向外方への張力が上下端部分１１ａ，１１ｃと中央部分１１ｂとに分散して作用することはなく、テープファスナ４０の張力を胴周り側部１１の上端部分１１ａと下端部分１１ｃとに集中的に作用させることができる。
【００３３】
おむつ１Ｂでは、胴周り側部１１の上下端部分１１ａ，１１ｃを着用者３４の肌に密着させることができる。おむつ１Ｂでは、テープファスナ４０にかかる横方向外方への張力が胴周り側部１１の上端部分１１ａから胴周り端部９に作用するので、胴周り端部９によって着用者３４の胴部３５を十分に締め付けることができ、胴周り開口３２からの排泄物の漏れを防ぐことができる。おむつ１Ｂでは、テープファスナ４０にかかる横方向外方への張力が胴周り側部１１の下端部分１１ｃから脚周り側部１２に作用するので、おむつ１Ｂの脚周り側部１２によって着用者３４の脚部３６を十分に締め付けることができ、脚周り開口３３からの排泄物の漏れを防ぐことができる。
【００３４】
おむつ１Ｂでは、テープファスナ４０が伸縮性繊維不織布から形成されているので、着用者３４の胴部３５と脚部３６との締め付けにテープファスナ４０の弾性伸縮性を利用することができ、おむつ１Ｂがその着用中に不用意にずれ下がってしまうことを防ぐことができる。
【００３５】
表面シート２には、親水性繊維不織布、多数の開孔を有する疎水性繊維不織布、微細な多数の開孔を有するプラスチックフィルムのいずれかを使用することができる。裏面シート３や防漏シート３０には、疎水性繊維不織布、通気不透液性のプラスチックフィルム、疎水性繊維不織布を重ね合わせた複合不織布、疎水性繊維不織布と通気不透液性のプラスチックフィルムとを重ね合わせた複合シートのいずれかを使用することができる。裏面シート３や防漏シート３０には、高い耐水性を有するメルトブローン法による繊維不織布を、高い強度を有しかつ柔軟性に富んだスパンボンド法による繊維不織布で挟んだ複合不織布を使用することもできる。
【００３６】
不織布には、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００３７】
伸縮性繊維不織布には、メルトブローンやスパンボンドの各製法により製造されたものを使用することができる。伸縮性不織布の構成繊維には、熱可塑性エラストマー樹脂を溶融、紡糸した伸縮性繊維を使用することができる。また、胴周り側部１１を形成する不織布１５，１６やテープファスナ４０には、熱可塑性エラストマー樹脂繊維からなる伸縮性繊維不織布の少なくとも片面に、ポリプロピレン、ポリエチレン、ポリエステル、のいずれかの熱可塑性合成樹脂を溶融、紡糸した捲縮繊維からなる繊維不織布を貼り合わせた複合不織布を使用することもできる。
【００３８】
コア４は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア４は、それの型崩れやポリマー粒子の脱落を防止するため、全体がティッシュペーパーに被覆されていることが好ましい。ポリマー粒子としては、デンプン系、セルロース系、合成ポリマー系のものを使用することができる。
【００３９】
表裏面シート２，３の固着やコア４の固着、防漏シート３０の固着、胴周り側部１１を形成する不織布１５，１６の固着、テープファスナ１９，４０の固着、弾性部材１７，１８，３１の固着には、ホットメルト型接着剤、または、ヒートシールやソニックシール等の熱による溶着手段を利用することができる。
【００４０】
それら図示のおむつ１Ａ，１Ｂでは、後胴周り域７の胴周り側部１１とテープファスナ１９，４０とが実質的に非伸縮性のプラスチックフィルムや実質的に非伸縮性の繊維不織布から形成されていてもよい。また、それら図示のおむつ１Ａ，１Ｂでは、後胴周り域７の胴周り側部１１とテープファスナ１９，４０との両者が横方向へ弾性的な伸縮性を有する伸縮性繊維不織布や伸縮性プラスチックフィルムから形成されていてもよい。
【００４１】
それら図示のおむつ１Ａ，１Ｂでは、フック部材２６が第１および第２自由端部２１，２３，４２，４３の先端部分２４，４４に取り付けられているが、フック部材２６が先端部分２４，４４を含む第１および第２自由端部２１，２３，４２，４３の全域に取り付けられていてもよい。また、それら図示のおむつ１Ａ，１Ｂでは、止着手段として粘着剤を使用することもできる。粘着剤を使用する場合は、前胴周り域５における裏面シート３の外面にプラスチックフィルムからなるターゲットテープが取り付けられる。
【００４２】
この発明は、表面シートと裏面シートとの間にコアが介在する使い捨ておむつの他に、内側に吸収性パッドを取り付けて使用するおむつカバーにも実施することができる。
【００４３】
【発明の効果】
本発明にかかる開放型の使い捨て着用物品によれば、テープファスナの第１自由端部が胴周り側部の上端部分につながり、テープファスナの第２自由端部が胴周り側部の下端部分につながっているので、横方向外方へ引っ張られたテープファスナの張力を胴周り側部の上端部分と下端部分とに集中的に作用させることができ、胴周り側部の上下端部分を着用者の肌に密着させることができる。この物品では、テープファスナにかかる横方向外方への張力が胴周り側部の上端部分から後胴周り域の胴周り端部に作用するので、胴周り端部によって着用者の胴部を十分に締め付けることができ、着用者の胴部と胴周り開口との間に隙間が生じることはなく、胴周り開口からの排泄物の漏れを防ぐことができる。この物品では、テープファスナにかかる横方向外方への張力が胴周り側部の下端部分から物品の脚周り側部に作用するので、脚周り側部によって着用者の脚部を十分に締め付けることができ、着用者の脚部と脚周り開口との間に隙間が生じることはなく、脚周り開口からの排泄物の漏れを防ぐことができる。
【００４４】
後胴周り域の胴周り側部とテープファスナとのうちの少なくとも一方が横方向へ弾性的な伸縮性を有する物品では、着用者の胴部と脚部との締め付けに胴周り側部とテープファスナとのうちの少なくとも一方を利用することができ、物品がその着用中に不用意にずれ下がってしまうことを防ぐことができる。
【図面の簡単な説明】
【図１】使い捨ておむつの部分破断斜視図。
【図２】図１のＡ−Ａ線端面図。
【図３】着用状態で示す図１のおむつの斜視図。
【図４】他の実施の形態を示す使い捨ておむつの部分破断斜視図。
【図５】図３のＢ−Ｂ線端面図。
【図６】着用状態で示す図４のおむつの斜視図。
【符号の説明】
１Ａ，１Ｂ    使い捨ておむつ（開放型の使い捨て着用物品）
５            前胴周り域
６            股下域
７            後胴周り域
１１            胴周り側部
１１ａ          上端部分
１１ｃ          下端部分
１９            テープファスナ
２０            第１固定端部
２１            第１自由端部
２２            第２固定端部
２３            第２自由端部
２４            先端部分
２６            フック部材（止着手段）
４０            テープファスナ
４１            固定端部
４２            第１自由端部
４３            第２自由端部
４４            先端部分
Ｌ            横中心線
【図１】
0003975083.tif 000002
【図２】
0003975083.tif 000003
【図３】
0003975083.tif 000004
【図４】
0003975083.tif 000005
【図５】
0003975083.tif 000006
【図６】
0003975083.tif 000007